(57)【要約】【課題】  施工誤差等により基礎見切りと基礎との間隔が変化したとしても、防虫網により確実に虫の侵入を防止できる換気構造を提供する。【解決手段】  基礎２に土台金物１０を介して外壁１を立設する。基礎２の上端と外壁１の下端との間にこの間を屋外側から覆う長尺な基礎見切り１４を配設する。基礎見切り１４と基礎２の上端部との間に換気用隙間３１を形成する。網材を基礎見切り１４の長手方向と平行な軸回りに巻いて形成した換気用隙間３１を塞ぐ防虫網２７を基礎見切り１４に取付ける。防虫網２７を基礎２に弾接する。【選択図】        図１
2007032116.tif 000002
【特許請求の範囲】
【請求項１】
基礎に土台金物を介して外壁を立設し、基礎の上端と外壁の下端との間にこの間を屋外側から覆う長尺な基礎見切りを配設すると共に該基礎見切りと基礎の上端部との間に換気用隙間を形成し、網材を基礎見切りの長手方向と平行な軸回りに巻いて形成した換気用隙間を塞ぐ防虫網を基礎見切りに取付けると共に該防虫網を基礎に弾接して成ることを特徴とする換気構造。
【発明の詳細な説明】
【技術分野】
【０００１】
本発明は基礎見切りと基礎との間に換気用隙間を形成した換気構造に関する。
【背景技術】
【０００２】
基礎上に土台金物を介して外壁を立設した建物にあっては、外壁の屋外側の面の下端部に基礎と外壁との間を屋外側から覆う長尺な基礎見切りを沿設してあり、この基礎見切りにより基礎の上端と外壁の下端との間から屋内側に水が侵入することを防止し、また外観を良くしている（例えば特許文献１）。
【０００３】
また図３に示すように基礎２と基礎見切り１４との間に床下に連通する換気用隙間３１を形成した換気構造も知られており、このものは換気用隙間３１を介して建物の床下を換気できるようになっている。この換気構造にあっては屋外の虫が換気用隙間３１を介して床下に侵入する虞れがある。このため従来では例えば基礎見切り１４の長手方向に長い水平帯状の網材からなる防虫網２７′の一端を基礎見切り１４に取付け、この片持ち支持された防虫網２７′の他端である自由端を図３に示すように基礎２に近接して、該防虫網２７′により換気用隙間３１を塞ぐことで床下への虫の侵入を防止していた。
【０００４】
ところで上記基礎見切り１４と基礎２との間隔は基礎２や土台金物１０、外壁１の寸法誤差や施工誤差により変化しやすい。このため図３の換気構造において例えば基礎見切り１４と基礎２との間隔が防虫網２７′の幅寸法よりも大きくなった場合には、防虫網２７′の自由端と基礎２との間に隙間が形成されてしまい、この隙間から虫が侵入してしまう。また逆に基礎見切り１４と基礎２との間隔が防虫網２７′の幅寸法よりも小さくなった場合には、図３に示すように水平帯状に形成された防虫網２７′が基礎見切り１４と基礎２との間で圧縮されて変形し、これにより片持ちに支持された防虫網２７′の自由端の長手方向の一部は基礎２に当たる。しかし長尺で水平帯状の網材からなる防虫網２７′は変形しやすくて全体としての保形性が低く、また弾力性も低く、このため上記のように防虫網２７′の自由端の長手方向における一部が基礎２に当たった場合には長尺な防虫網２７′が波打ったりし、該防虫網２７′の基礎見切り１４からの突出長さが短くなる部分ができる。従って防虫網２７′の長手方向における一部の自由端は部分的に基礎２に当たるものの、長手方向の大部分の自由端と基礎２の間には図３に示すように隙間が生じる虞れがあり、この場合には虫が侵入してしまう。また上記防虫網２７′は水平帯状の網材からなるため虫は網材を一度通過できれば床下に侵入できるようになっており、このため虫の侵入を防ぐ効果が低かった。
【特許文献１】特開平１１−２４１４１６号公報
【発明の開示】
【発明が解決しようとする課題】
【０００５】
本発明は上記従来の問題点に鑑みて発明したものであって、施工誤差等により基礎見切りと基礎との間隔が変化したとしても、防虫網により確実に虫の侵入を防止できる換気構造を提供することを課題とするものである。
【課題を解決するための手段】
【０００６】
上記課題を解決するために本発明に係る換気構造は、基礎２に土台金物１０を介して外壁１を立設し、基礎２の上端と外壁１の下端との間にこの間を屋外側から覆う長尺な基礎見切り１４を配設すると共に該基礎見切り１４と基礎２の上端部との間に換気用隙間３１を形成し、網材を基礎見切り１４の長手方向と平行な軸回りに巻いて形成した換気用隙間３１を塞ぐ防虫網２７を基礎見切り１４に取付けると共に該防虫網２７を基礎２に弾接して成ることを特徴とする。
【０００７】
上記のように換気用隙間３１を塞ぐ網材を基礎２の長手方向と平行な軸回りに巻いて形成するという簡単な構成で従来の帯状の防虫網２７と比較して保形性と弾力性に優れた防虫網２７を形成することができる。またこの防虫網２７を基礎見切り１４に取付けて基礎２に段接することで、施工誤差等により基礎見切り１４と基礎２との間隔が変化したとしても、防虫網２７をその長手方向の全長に亘って基礎２に沿って隙間無く当てることができる。またこの防虫網２７は網材を巻いて形成したものであるので、換気用隙間３１を恰も複数枚の網材で塞いだようにできる。
【発明の効果】
【０００８】
本発明では、施工誤差等により基礎見切りと基礎との間隔が変化したとしても、防虫網を基礎に沿って隙間無く当てることができて虫の侵入を確実に防止でき、またこの防虫網により換気用隙間を恰も複数枚の網材で塞いだようにできるため、多段階に虫の侵入を防止できて虫の侵入をより確実に防ぐことができる。
【発明を実施するための最良の形態】
【０００９】
以下、本発明を添付図面に示す実施形態に基いて説明する。図１に示すように建物の外壁１が立設される箇所には布基礎等からなる基礎２を形成している。
【００１０】
基礎２の上面に立設される外壁１は正面視矩形枠状の枠材３の屋内側の面及び屋外側の面に内装材４及び外装材５の夫々を貼着した壁パネルからなり、この外壁１の内部には断熱材７を設けている。枠材３の下端部に設けた下横枠体３ａは木製でその下面には嵌込溝６を形成している。また下横枠体３ａの下部は外装材５の下端よりも下方に突出し、これにより外壁１の屋外側の面の下端部に屋内側に凹む段部８を形成している。図示例では下横枠体３ａの下部の屋外側部分を逆Ｌ字状に切欠いて切欠部９を形成し、切欠部９の横面及び同面と面一となった外装材５の下端面で段部８の横面８ａを形成し、切欠部９の縦面で段部８の縦面８ｂを形成している。
【００１１】
上記外壁１は断面Ｌ字状に形成された土台金物１０を介して外装材５の屋外側の面を基礎２よりも屋内側に位置させた状態で基礎２上に立設される。このＬ字状の土台金物１０は横片状部１０ａを基礎２に載置すると共に該横片状部１０ａに基礎２に植設したアンカーボルト１２を挿通し、該アンカーボルト１２の横片状部１０ａよりも上方に突出した雄ねじ部１２ａにナット１３を螺合することで基礎２に固定されるものである。そしてこの土台金物１０の縦片状部１０ｂの上端部を外壁１の嵌込溝６に嵌め込んだ状態で外壁１の枠材３の下横枠体３ａは土台金物１０に載置固定されている。なお図示は省略するが外壁１の上端部は建物の梁に固定されている。
【００１２】
ここで土台金物１０を挟んだ屋外側の空間Ｓ１（即ち後述する基礎見切り１４と土台金物１０との間に形成される空間）と床下に連通する屋内側の空間Ｓ２は連通している。具体的には短尺な土台金物１０を基礎２の伸びる方向（平面視で屋内外方向イに直交する方向）に間隔を介して複数並設し、隣接する土台金物１０の間に換気用の開口部を形成したり、基礎２の伸びる方向に長尺な土台金物１０の縦片状部１０ｂに換気用の孔を穿設する等して空間Ｓ１と空間Ｓ２を連通させている。
【００１３】
上記外壁１の下端と基礎２の上端との間にはこの間を屋外側から覆う基礎見切り１４が配設されるもので、該基礎見切り１４により外観を向上すると共に外壁１の下端と基礎２の上端との間から屋内側に水が侵入することを防止できるようになっている。
【００１４】
基礎見切り１４は例えばアルミニウム等の金属や合成樹脂等によって形成されるもので、屋外側に下り傾斜した傾斜片１６と、傾斜片１６の屋内側の端部から立ち上げた立上片１７と、傾斜片１６の屋外側の端部から立ち下げた立下片１８を有している。
【００１５】
立上片１７の上端部には屋内側に向けて連設横片１９を連設してあり、該連設横片１９の屋内側の端部は縦片状の固着片２０の上下方向の中間部に接続されている。また立上片１７の下端部は屋内側に向けて突曲形成してあり、これにより立上片１７の屋外側の面の下端部に屋内側に凹む水切り用の溝２２を形成している。
【００１６】
また立下片１８の下部には屋内側に向けて覆横片２３を突設している。覆横片２３の屋内側の端部の屋内外方向イに間隔を介した二箇所には上方に向けて縦片２４を突設してあり、両縦片２４と覆横片２３の屋内側の端部とで基礎見切り１４の下端部に上向きコ字状の防虫網取付部２６を形成している。
【００１７】
上記基礎見切り１４には基礎見切り１４の長手方向に長い防虫網２７を基礎見切り１４の長手方向の全長に亘って取付けている。防虫網２７は面状網材の一端を軸として屋内外方向イに交差する方向である基礎見切り１４の長手方向と平行な軸回りに複数回渦巻き状に巻いて形成したもので、軸とは反対側の端部を上記上向きコ字状の防虫網取付部２６内に上方から嵌め込んで片持ちで支持された状態で基礎見切り１４に取付けられている。このような網材を巻いて形成された防虫網２７は、従来の帯状の防虫網２７′と比較して弾力性に優れ、また全体としての保形性が優れたものとなっている。
【００１８】
次に上記防虫網２７を取付けた基礎見切り１４の外壁１への施工につき説明する。基礎見切り１４を外壁１に施工するには、まず基礎２の上面の屋外側の端部にクッション性を有する支持材２９を介して基礎見切り１４の傾斜片１６を載置すると共に、基礎見切り１４の上端部に設けた固着片２０を外壁１の段部８の縦面８ｂに沿わせ、この状態で固着片２０の連設横片１９よりも上方に突出した部分に屋外側から挿通したビス等の固着具２８を下横枠体３ａに打入して固着片２０を下横枠体３ａに固着し、これにより基礎見切り１４を外壁１に取付ける。
【００１９】
ここで図示は省略するが上記支持材２９は基礎２の伸びる方向に間隔を介して複数施工されるもので、隣合う支持材２９間には換気用の開口が形成されている。従って上記のように基礎見切り１４を外壁１に取付けた状態では、屋外空間３２は、基礎見切り１４と基礎２との間に形成された換気用隙間３１、空間Ｓ１、空間Ｓ２を順に介して床下に連通し、これにより床下を換気できるようになっている。
【００２０】
また上記のように基礎見切り１４を外壁１に取付けた場合には、防虫網２７の屋内側が基礎２の上端部の屋外側の面に弾接し、これにより防虫網２７は基礎２の上端部の屋外側の面と同面に対向する基礎見切り１４の防虫網取付部２６との間にこれらによって屋内外方向イに圧縮されて弾性変形した状態で配設される。
【００２１】
本発明ではこのように基礎見切り１４を外壁１に取付けることで、網材を基礎見切り１４の長手方向と平行な軸回りに巻いてなる保形性及び弾力性を向上させた防虫網２７を基礎２に弾接してあるので、防虫網２７の基礎２側への突出長さを長手方向全長に亘って一定とでき、これにより施工誤差等によって基礎見切り１４と基礎２との間隔が変化したとしても、防虫網２７をその長手方向の全長に亘って基礎２に追従させて隙間無く当てることができ、この結果、換気用隙間３１から床下側への虫の侵入を確実に防止できる。また防虫網２７は網材を巻いて形成しているので、恰も換気用隙間３１を複数枚の網材で塞いだようにでき、これにより多段階に虫の侵入を防止でき、虫の侵入をより確実に防ぐことができる。
【００２２】
そして上記のように外壁１の下端部に基礎見切り１４の上端部を沿設した後、外壁１の段部８の横面８ａと基礎見切り１４の連設横片１９との間に形成された隙間に防水用のコーキング材３３を充填することで基礎見切り１４の施工が完了するものである。
【００２３】
次に上記とは異なる他例の換気構造を図２に示す。なお以下の説明では図１の換気構造と同一の構成については同一の番号を付与してあり、重複する説明は省略する。
【００２４】
図２に示すように本例の防虫網取付部２６は基礎見切り１４の立上片１７の下端部の屋内側に設けている。具体的には基礎見切り１４の立上片１７の下端から屋内側に向けてＬ字状片３５を突設して、立上片１７の下端部とＬ字状片３５とで基礎見切り１４の上下方向の中央部に上向きに開口する防虫網取付部２６を形成してあり、この防虫網取付部２６内に防虫網２７の軸とは反対側の端部を上方から嵌め込んだ状態で防虫網２７を基礎見切り１４に取付けている。
【００２５】
そして上記図１に示す実施例と同様に基礎見切り１４を外壁１に取付けることで、防虫網２７の下側が基礎２の上面に弾接し、これにより防虫網２７は基礎２の上面と同面に対向する基礎見切り１４の防虫網取付部２６との間にこれらによって上下方向に圧縮されて弾性変形した状態で配設されることととなる。従って本例にあっても防虫網２７をその長手方向の全長に亘って基礎２に沿って隙間無く当てることができ、また多段階に虫の侵入を防止できる。
【図面の簡単な説明】
【００２６】
【図１】本発明の実施の形態の一例の換気構造を示す断面図である。
【図２】図１とは異なる他例の換気構造を示す断面図である。
【図３】従来の換気構造を示す断面図である。
【符号の説明】
【００２７】
１  外壁
２  基礎
１０  土台金物
１４  基礎見切り
２７  防虫網
３１  換気用隙間
【図１】
2007032116.tif 000003
【図２】
2007032116.tif 000004
【図３】
2007032116.tif 000005